(57)【要約】      （修正有）【課題】高張力でストリングを張り上げた場合にも耐久性があり、汎用性が高く、打球感および打球音いずれも満足するラケットと、そのためのグロメットを提供する。【解決手段】ガット挿入孔に挿入されるグロメットレッグ部１と、前記グロメットレッグ部の一端に配置されたグロメットヘッド部２とから構成されるバドミントンラケット用グロメットであって、グロメットヘッド部２は、長円形状または長方形状であり、グロメットレッグ部１は、貫通孔３を有し、グロメットヘッド部２の上面には、長軸方向でかつ前記貫通孔を通る位置に溝４が形成されている。【選択図】図１
2013226298.tif 000002
【特許請求の範囲】
【請求項１】
ガット挿入孔に挿入されるグロメットレッグ部と、前記グロメットレッグ部の一端に配置されたグロメットヘッド部とから構成されるバドミントンラケット用グロメットであって、
前記グロメットヘッド部は、長円形状または長方形状であり、
前記グロメットレッグ部は、貫通孔を有し、
前記グロメットヘッド部の上面には、長軸方向でかつ前記貫通孔を通る位置に溝が形成されているバドミントンラケット用グロメット。
【請求項２】
前記グロメットレッグ部の長さが、６．００ｍｍ〜１２．０ｍｍであり、
前記グロメットヘッド部の長軸の長さが、３．００ｍｍ〜６．００ｍｍであり、
前記グロメットヘッド部の溝における厚み（ｃ）が、０．３５ｍｍ〜１．００ｍｍであり、
前記グロメットヘッド部の縁における厚み（ｂ）が、０．７５ｍｍ〜１．５０ｍｍであり、
下記の関係式を満たす請求項１に記載のバドミントンラケット用グロメット。
０．４５ｍｍ≦ｂ−ｃ≦０．７５ｍｍ
【請求項３】
前記グロメットレッグ部の貫通孔の内径が、１．００ｍｍ〜２．００ｍｍである請求項１または２に記載のバドミントンラケット用グロメット。
【請求項４】
ガット挿入孔に挿入した際、ラケットのフレームと接するグロメットヘッド部の面が、フレームの形状に沿うように、湾曲した形状である請求項１〜３のいずれかに記載のバドミントンラケット用グロメット
【請求項５】
前記グロメットレッグ部と、前記グロメットヘッド部とが、熱可塑性樹脂、天然ゴム、合成ゴム、弾性ポリマーおよび金属のいずれかの材料から一体成形または、それぞれ形成される請求項１〜４のいずれかに記載のバドミントンラケット用グロメット。
【請求項６】
正面から見た形状がＴ字形である請求項１〜５のいずれかに記載のバドミントンラケット用グロメット。
【請求項７】
請求項１〜６のいずれかに記載のバドミントンラケット用グロメットをガット挿入孔に複数個所装着したバドミントンラケット。
【請求項８】
ガット挿入孔にストリングを通し、張り上げた請求項７に記載のバドミントンラケットであって、隣接するバドミントンラケット用グロメット間であってラケットのフレーム外側を通るストリングが、前記ラケットのフレームに接触しない請求項７に記載のバドミントンラケット。
【発明の詳細な説明】
【技術分野】
【０００１】
本発明は、バドミントンラケット用グロメットおよび該グロメットを装着したバドミントンラケットに関する。
【背景技術】
【０００２】
近年、バドミントン用のラケットとして、軽量で飛び性能の良いラケットが求められている。このため、ラケットフレームは、高強度で軽量の炭素繊維などの繊維強化樹脂製が主流となっている。
【０００３】
しかしながら、ラケットを軽量にすると、強度も低下する傾向がある。とくに高いテンションでストリングを張り上げることを繰り返すと、負荷のかかる部分でグロメットの破損、ラケットフレームの変形や破損を生じやすい等の問題を生じる。従来のバドミントンラケット用グロメットは、頭部が膨らんだ管状グロメットが多く使用されている（図６参照。図６（１）は側面図、図６（２）は上面図、図６（３）は下面図。図６において、グロメットレッグ部１’、グロメットヘッド部２’、貫通孔３’、ａ’＝７．５０ｍｍ、ｂ’＝０．５０ｍｍ、ｃ’＝１．２０ｍｍ、ｄ’＝３．８０ｍｍ、ｅ’＝２．００ｍｍ、ｆ’＝２．６０ｍｍ）。このような一般的なグロメットを用いたラケットにストリングを張ると、張力のかかる部分では数回の張り上げでグロメットが破損したり、ラケットフレームの変形を生じてしまうという問題点があった。
【０００４】
とくに上級プレーヤーにおいては打球感およびコントロール性の点から、２５ポンド以上の高いテンションでストリングを張り上げる場合が多い。従って、このような高いテンションでストリングを張り上げる場合の、ラケットの耐久性向上が望まれている。
【０００５】
一方、複数のグロメットを連結したタイプの「連結グロメット」が知られている。この連結グロメットは、グロメットの個数を少なくできるメリットはあるが、以下のような課題が挙げられる。（ｉ）汎用性に欠ける、すなわちガット挿入孔の間隔がラケットの品番やメーカーにより異なるので、それぞれの連結グロメットを適用できるラケット製品が限定される。（ｉｉ）連結グロメットの重量が重くなり、それを装着したラケット全体の重量が重くなる。（ｉ）の問題については、成形品を伸縮可能な構造にし、グロメットの間隔を調整可能とすることが提案されている（例えば特許文献１および特許文献２）。また（ｉｉ）の問題については、連結部分を細くして軽量化を図ることが提案されている（例えば、特許文献３）。
【０００６】
さらに、高張力対応として、高張力での破損を防止するため膨らみを設けて負荷を分散する構造が提案されている（例えば、特許文献４）。また、この構造を改良し、軽量化することが提案されている（例えば、特許文献５）。
【０００７】
しかしながら、連結グロメットにおいてグロメット間隔を容易に調整可能とすることは困難である。とくにバドミントンラケットにおいては、極限近くまでラケットが軽量化されているため、重量増加を抑えながら高張力に対して耐久性を上げることは、より厳しい条件となる。さらにバドミントンにおいては、打球音が重要な評価項目であり、連結グロメットを装着したラケットを用いると、打球音が鈍くなる傾向であり、この点についても改善が要望されている。
【０００８】
以上から、とくにバドミントンラケットにおいては、高張力でストリングを張り上げた場合にも耐久性があり、汎用性が高く、打球感および打球音いずれも満足するラケットが望まれていた。
【先行技術文献】
【特許文献】
【０００９】
【特許文献１】特開昭６０−３６０７１号公報
【特許文献２】実開昭６２−２０２８６８号公報
【特許文献３】実公平２−４６３８１号公報
【特許文献４】実開昭６１−１６１７１号公報
【特許文献５】特開２００２−２８２３９５号公報
【発明の概要】
【発明が解決しようとする課題】
【００１０】
本発明は、高張力でストリングを張り上げた場合にも耐久性があり、汎用性が高く、打球感および打球音いずれも満足するラケットを提供するための、単孔型のバドミントンラケット用グロメットを提供する。また、本発明は、そのグロメットを装着したバドミントンラケットを提供する。
【課題を解決するための手段】
【００１１】
本発明は、ガット挿入孔に挿入されるグロメットレッグ部と、前記グロメットレッグ部の一端に配置されたグロメットヘッド部とから構成されるバドミントンラケット用グロメットであって、
前記グロメットヘッド部は、長円形状または長方形状であり、
前記グロメットレッグ部は、貫通孔を有し、
前記グロメットヘッド部の上面には、長軸方向でかつ前記貫通孔を通る位置に溝が形成されていることを特徴とする。
【００１２】
また、本発明は、本発明のバドミントンラケット用グロメットをガット挿入孔に複数個所装着したバドミントンラケットである。
【発明の効果】
【００１３】
本発明のグロメットを装着したバドミントンラケットは、高張力でストリングを張り上げた場合にも耐久性があり、汎用性が高く、打球感および打球音いずれも満足するラケットを提供できる。
【図面の簡単な説明】
【００１４】
【図１】図１は、本発明の一例を表す図である。
【図２】図２は、従来のグロメットを装着し、ストリングを張ったバドミントンラケットを表す模式図である。
【図３】図３は、本発明のグロメットの一例を装着し、ストリングを張ったバドミントンラケットを表す模式図である。
【図４】図４は、バドミントンラケットの例を表す図である。
【図５】図５は、本発明のグロメットを装着する好ましい箇所を示した、バドミントンラケットの例を表す図である。
【図６】図６は、従来のグロメットを表す図である。
【発明を実施するための形態】
【００１５】
本発明者は、汎用性と打球音の観点から、連結型より単孔型のほうが有利であることを考慮し、形状について種々検討した結果、以下の本発明に至った。すなわち本発明は以下の構成を有する。
【００１６】
本発明は、ガット挿入孔に挿入されるグロメットレッグ部と、前記グロメットレッグ部の一端に配置されたグロメットヘッド部とから構成されるバドミントンラケット用グロメットであって、
前記グロメットヘッド部は、長円形状または長方形状であり、
前記グロメットレッグ部は、貫通孔を有し、
前記グロメットヘッド部の上面には、長軸方向でかつ前記貫通孔を通る位置に溝が形成されているバドミントンラケット用グロメットである。
【００１７】
本発明のバドミントンラケット用グロメットにおいて、前記グロメットレッグ部の長さが、６．００ｍｍ〜１２．０ｍｍであり、前記グロメットヘッド部の長軸の長さが、３．００ｍｍ〜６．００ｍｍであり、前記グロメットヘッド部の溝における厚み（ｃ）が、０．３５ｍｍ〜１．００ｍｍであり、前記グロメットヘッド部の縁における厚み（ｂ）が、０．７５ｍｍ〜１．５０ｍｍであり、下記の関係式を満たすのが好ましい。
０．４５ｍｍ≦ｂ−ｃ≦０．７５ｍｍ
【００１８】
本発明において、前記グロメットレッグ部の貫通孔の内径は、１．００ｍ〜２．００ｍｍであるのが好ましい。
【００１９】
本発明において、ガット挿入孔に挿入した際、ラケットのフレームと接するグロメットヘッド部の面が、フレームの形状に沿うように、湾曲した形状であるのが好ましい。
【００２０】
本発明において、前記グロメットレッグ部と、前記グロメットヘッド部とが、熱可塑性樹脂、天然ゴム、合成ゴム、弾性ポリマーおよび金属のいずれかの材料からそれぞれ形成されるのが好ましい。
【００２１】
本発明のバドミントンラケット用グロメットは、正面から見た形状がＴ字形であるのが好ましい。
【００２２】
また、本発明は、本発明のバドミントンラケット用グロメットをガット挿入孔に複数個所装着したバドミントンラケットを提供する。
【００２３】
前記バドミントンラケットにおいて、ガット挿入孔にストリングを通し、張り上げた請求項６に記載のバドミントンラケットであって、隣接するバドミントンラケット用グロメット間であってラケットのフレーム外側を通るストリングが、前記ラケットのフレームに接触しないのが好ましい。
【００２４】
本発明のグロメットは、前記のようにバドミントンラケットに適用される。
【００２５】
バドミントンラケットのフレームは、繊維強化樹脂の積層体を中空パイプ状としたものから形成されたフレームが好ましく用いられる。繊維強化樹脂の繊維としては、炭素（カーボン）繊維、アラミド繊維、炭化ケイ素繊維、アルミナ繊維、ガラス繊維、ポリアリレート繊維などが挙げられる。軽量で高強度であることから、強化繊維としては、炭素繊維が好ましい。繊維強化樹脂の樹脂としては、熱可塑性樹脂、熱硬化性樹脂が挙げられ、とくに限定されるものではないが、熱硬化型のエポキシ系樹脂が好ましく用いられる。
【００２６】
また、繊維強化樹脂の繊維の形状や配列については、特に限定されない。また前記中空パイプ状フレームは、繊維強化樹脂のプリプレグの積層体に限定されるものではなく、他の公知の方法によって形成されてもよい。
【００２７】
本発明のグロメットは、前記のように、ガット挿入孔に挿入されるグロメットレッグ部と、前記グロメットレッグ部の一端に配置されたグロメットヘッド部とから構成されるバドミントンラケット用グロメットであって、
前記グロメットヘッド部は、長円形状または長方形状であり、
前記グロメットレッグ部は、貫通孔を有し、
前記グロメットヘッド部の上面には、長軸方向でかつ前記貫通孔を通る位置に溝が形成されていることを特徴とする。
【００２８】
本発明のグロメット形状の一例を図１に示す。図１において、（１）が正面図、（２）が側面図、（３）が上面図、（４）が斜視図である。ここで正面図はグロメットをラケットに装着し、ラケット正面から見た図であり、グロメットの上面は、グロメットをラケットに装着した場合に、ラケットフレームの外側になる部分である。図１において、１はグロメットレッグ部であり、ラケットフレームのガット挿入孔に挿入される部分である。２はグロメットヘッド部であり、その下面がラケットフレームに接する。３は貫通孔であり、張設されたストリングが通る部分である。グロメットヘッド部２は、長円形状または長方形状である。そしてグロメットヘッド部２の上面には、長軸方向でかつ貫通孔３を通る位置に溝４が形成されている。溝４と平行に、長軸方向の位置に縁５が溝４の両側に形成されている。
【００２９】
そのグロメットは、具体的には、正面からみた形がＴ字形であり、グロメットヘッド部の長軸（ｅ）が短軸（ｆ）より大きく；グロメットヘッド部の側面において外側が中央部より高く盛り上がった形状であることを特徴とする（図１参照）。この例においては、グロメットヘッド部は、長軸と短軸を有する長円形状である。
【００３０】
また、ａ〜ｆは各部の寸法を表わす。
ａ；グロメットレッグ部の長さ
ｂ；縁におけるグロメットヘッド部の厚み（最大部）
ｃ；溝におけるグロメットヘッド部の厚み（最小部）
ｄ；グロメットヘッド部の溝の幅
ｅ；グロメットヘッド部の長軸
ｆ；グロメットヘッド部の短軸
【００３１】
図２は従来のグロメットをラケットに装着し、ストリングを張設した場合の模式図である。図３は本発明のグロメットの一例をラケットに装着し、ストリングを張設した場合の模式図である。図２および３において、１１はメイン（タテ）ストリング、１２はクロス（ヨコ）ストリング、１３はラケットフレーム、１４は従来のグロメット、１５は本発明のグロメットの一例である。グロメット１５は、溝４がラケットの枠に沿うような向きに配置され、その溝４にストリングが配置されることにより、ストリングが外れることを防ぐことができる。
【００３２】
本発明のグロメットは前述のように、正面からみた形がＴ字形であり、グロメットヘッド部の長軸（ｅ）が短軸（ｆ）より長く、かつ、ヘッド部側面において縁（外側）が溝より高く盛り上がり、前記溝が、貫通孔を通る位置に形成されていることを特徴とする。ヘッド部分の長軸（ｅ）が長いと、グロメットとストリングの接触部分が従来品より長くなり、その結果、ストリングの張力に対しグロメットが受ける力が分散し、従って、グロメットの耐久性が向上すると考えられる。さらにヘッド部側面において縁（外側）が溝より高く盛り上がった形状により、ストリングの張設時や張設後の打撃等でストリングがグロメットから外れることを防止するとともに、グロメットをラケットに装着するとき、グロメットの向きが必ずしも適切でなくても、ストリングの張力で、グロメットの向きが揃う効果も奏する。
【００３３】
本発明において好ましいグロメットヘッド部の長軸（ｅ）の長さは、６．００ｍｍ〜１２．００ｍｍ、より好ましい範囲は７．００ｍｍ〜１１．００ｍｍ、とくに好ましい範囲は８．００ｍｍ〜１０．００ｍｍである。グロメットヘッド部の短軸（ｆ）の長さは、３．００ｍｍ〜６．００ｍｍ、より好ましい範囲は３．５０ｍｍ〜５．５０ｍｍ、とくに好ましい範囲は４．００ｍｍ〜５．００ｍｍである。
【００３４】
グロメットヘッド部の長軸（ｅ）の長さが６．００ｍｍ以上の場合、張り上げ時のストリングからかかる応力が十分に分散され、高張力で張設した場合の耐久性が十分である。また、ヘッド部の厚みにもよるが、長軸（ｅ）の長さが長いとグロメット間でストリングとフレームが接触する可能性が低く、陥没現象が発生する懸念は低い。一方、グロメットヘッド部の長軸（ｅ）の長さが１２．００ｍｍ以下の場合、一般的なバドミントンラケットのグロメットとグロメットの間隔が１２．００ｍｍ以下の場合には隣接するグロメットと重ならず、汎用性に優れる。
【００３５】
グロメットヘッドの短軸（ｆ）が３．００ｍｍ以上の場合、ストリングを溝部に保持し、グロメットから外れないような、強度と高さのある外側の膨らみ部（縁部）を形成でき、好ましい。また、グロメットヘッドの短軸（ｆ）が６．００ｍｍ以下の場合、ラケットフレームに装着が容易であり、打球音も良く、スイング時の空気抵抗が小さいため、従来のバドミントンラケットの性能を維持することができる。
【００３６】
また、本発明の好ましいグロメットヘッド部の溝における厚み（ｃ）は、０．３５ｍｍ〜１．００ｍｍであり、グロメットヘッド部の縁（外側の盛り上がった部分）における厚み（ｂ）は、０．７５ｍｍ〜１．５０ｍｍであり、かつ下式を満足するのが好ましい。
０．４５ｍｍ≦ｂ−ｃ≦０．７５ｍｍ
【００３７】
グロメットヘッド部の縁における厚み（ｂ）が０．３５ｍｍ以上の場合、ヘッド部の強度を保ち、グロメット間でストリングとフレームが接触する可能性が低くなり、フレームの陥没現象は防止できる。一方、グロメットヘッド部の縁における厚み（ｂ）が１．００ｍｍ以下の場合、打球音が良く、スイング時の空気抵抗が抑制できるため、バドミントンラケットの性能は維持できる。また、グロメットヘッド部の縁（外側の盛り上がった部分）は、溝より厚みが厚いため、壁を形成する。（ｂ）−（ｃ）は、その壁の高さを表わし、前記範囲であればストリングがグロメットからはずれにくく、かつ壁の変形も抑えることができる。
【００３８】
図２に、従来のグロメットをガット挿入孔に装着し、さらにストリングを張設した状態の模式図を示した。従来のグロメットはヘッド部が小さく、ヘッド部の厚みも十分でない。そのため、ストリング張力に対する応力がストリング屈曲部近辺で集中し、この部分で破損しやすいと考えられる。また、ヘッド部の厚みと長さが不足の場合、グロメット間でストリングがフレームと接するので、ストリングの張力や打撃による振動で、フレームの変形、陥没が発生しやすくなると考えられる。
【００３９】
図３に、本発明のグロメットの一例をガット挿入孔に装着し、さらにストリングを張設した状態の模式図を示した。グロメットヘッド部の長軸の長さが長いため、応力が分散するとともに、グロメットヘッド部の長さと厚みにより、ストリングがグロメットとグロメットの間でラケットフレームに接触せず、浮いた状態であることが理解できる。
【００４０】
これらの効果に基づき、本発明のグロメットを装着したバドミントンラケットは、高張力で張り上げたときの耐久性が向上する。
【００４１】
本発明のグロメットにおいて、貫通孔３の内径は、１．００ｍｍ〜２．００ｍｍであるのが好ましい。１．００ｍｍ以上では、とくに２本のストリングを通す部分で、張り上げの作業性が良く、ストリング間、およびストリングとグロメット内部における摩擦および摩耗が抑制できるため、好ましい。また貫通孔３の径が２．００ｍｍ以下の場合、グロメットレッグ部の外径も小さくでき、ガット挿入孔に対し挿入が容易である。貫通孔３の径は、１．３０ｍｍ〜１．８０ｍｍであるのがより好ましい。ここで貫通孔３の径は、貫通孔３の内部で最も大きい部分の径をいう。
【００４２】
本発明のグロメットにおいて、グロメットは、ガット挿入孔に挿入した際、ラケットのフレームと接するグロメットヘッド部の面が、フレームの形状に沿うように、湾曲した形状であるのが好ましい。具体的には、グロメットヘッド部の内側が、装着するラケットフレームの形状に沿うように、内側に湾曲した形状であることが好ましい。これはグロメットヘッド部の長軸が長くなり、ヘッド下面が直線状であると、フレームが湾曲する部分において、グロメット両端部でグロメットがフレームに対して浮く状態になり、応力の分散が不十分となり、耐久性低下の要因となるからである（図３参照）。湾曲の程度についてはとくに限定はなく、フレームの曲面に対しグロメットヘッドの両端が浮かない程度であれば良い。グロメットの中央部が浮かない程度に、ラケットのフレームと接するグロメットヘッド部の面が、フレームの形状に沿うように、湾曲しているのが好ましい。
【００４３】
本発明のグロメットにおいて、グロメットレッグ部とグロメットヘッド部の形成材料についてはとくに限定されない。その形成材料としては、例えば、熱可塑性樹脂、天然ゴム、合成ゴム、弾性ポリマーおよび金属が挙げられる。前記熱可塑性樹脂としては、例えば、ポリアミド樹脂、ポリエステル樹脂、ポリアセタール樹脂、ポリオレフィン樹脂、ポリエーテル樹脂などが挙げられる。これらの形成材料には必要に応じ、耐熱剤、耐光剤、摩擦低下剤、耐摩耗向上剤、着色剤などの添加剤、改質剤を添加しても良い。これら形成材料の中で、ストリング素材として一般的なポリアミド繊維となじみの良いポリアミド樹脂、とくに低吸水性のナイロン１１、ナイロン１２、ナイロン６１０、ナイロン６１２が好ましく用いられる。
【００４４】
本発明のグロメットは、前記形成材料を用いて、例えば、射出成形、圧縮成型等により一体成形することができる。または、本発明のグロメットは、グロメットレッグ部とグロメットヘッド部とをそれぞれ形成し、一体化してもよい。
【００４５】
本発明のグロメットの重量は、例えば、０．０４０ｇ〜０．１００ｇ、好ましくは０．０５０ｇ〜０．０８０ｇである。
【００４６】
さらに、本発明は、前記本発明のバドミントンラット用グロメットをガット挿入穴に複数個装着したバドミントンラケットを提供する。このバドミントンラケットにおいて、隣接するバドミントンラケット用グロメット間であってラケットのフレーム外側を通るストリングが、前記ラケットのフレームに接触しないのが好ましい。
【００４７】
本発明のグロメットは、ラケットフレームの必要な箇所に装着すれば良く、装着する場所や個数は限定されない。装着場所としては、例えば、ラケットのトップ部分を１２時と見た場合、４時および８時近辺が挙げられる。バドミントンラケットの例を図４（１）と（２）に示す。オーバル形状のバドミントンラケットを図４（１）に、スクエア形状のバドミントンラケットを図４（２）に示す。これらのラケットにおいて、本発明のグロメットの装着場所を、例えば、図５に示す。オーバル形状のバドミントンラケットの場合を図５（１）に、スクエア形状のバドミントンラケットの場合を図５（２）に示す。図５中、黒丸で示した箇所が、本発明のグロメットの装着場所の例示である。図５（１）および図５（２）において、ラケットのトップ部分を１２時と見た場合、４時および８時近辺に、本発明のグロメットの装着場所が例示されている。
【００４８】
本発明のグロメットはグロメット孔に挿入するだけでそのまま使用することもできるが、必要に応じレッグ部の出口を加温した冶具などを用いてラッパ型に広げ固定することもできる。
【実施例】
【００４９】
以下実施例および比較例を用いて本発明をさらに具体的に説明するがこれに限定されるものでない。以下の実施例、比較例における評価は下記の方法で行った。
【００５０】
＜使用グロメット＞
［実施例］
ナイロン１２樹脂を用い射出成形法にて、図１に示した形状のグロメットを一体成形した。寸法（ｍｍ）は下記の通り。
ａ＝９．９０、ｂ＝１．１１、ｃ＝０．５１、ｄ＝２．５０、ｅ＝９．００、ｆ＝４．５０、ｂ−ｃ＝０．６０
長さ９．００ｍｍのグロメットヘッド部の両端部が直線に対し０．２５ｍｍ内側に湾曲している。貫通孔の内径は、１．６０ｍｍである。このグロメットの重量は１個あたり０．０６１ｇであった。
【００５１】
［比較例］
図６に示した形状のナイロン１２製のグロメット（製品名：ＡＣ４３、株式会社ゴーセン製）を使用した。図６（１）は側面図、図６（２）は上面図、図６（３）は下面図である。図６において、グロメットレッグ部１’、グロメットヘッド部２’、貫通孔３’を表す。寸法（ｍｍ）は下記の通り。
ａ’＝７．５０、ｂ’＝０．５０、ｃ’＝１．２０、ｄ’＝３．８０、ｅ’＝２．００、ｆ’＝２．６０
グロメットの重量は１個あたり０．０２９ｇであった。
【００５２】
（評価方法）
バドミントンラケットとして、市販のフェイス面積が５３平方インチでストリンギングパターンがメイン２２本、クロス２２本のオーバル形状型ラケットとフェイス面積が５４平方インチでストリンギングパターンがメイン２２本、クロス２１本のスクエア形状型ラケットを用いた。ラケットはフルカーボン製であり、重量は８６〜８８ｇのものを用いた。オーバル形状型とスクエア形状型それぞれの形状に従来のグロメット（製品名：ＡＣ４３、株式会社ゴーセン製）を装着したもの（比較例）と本発明グロメットを装着したもの（実施例）を準備した。前記の本発明グロメットを装着する位置と個数として、ラケットを時計に見立てた６時部分の一番下のホールから数えて６個目から１２個目までとし、片側７個、両側計１４個を装着した。張り上げるストリングは現在、市場で流通している実ゲージ０．７３ｍｍのナイロンマルチフィラメント構造を持った一般的なバドミントンストリング（製品名：アール・フォー・エックスインスパイア、株式会社ゴーセン製）を使用して、電動式のストリンギングマシンによって張り上げた。通常の張り上げ推奨テンションは最大でもメインストリング（以下Ｍ）とクロスストリング（Ｃ）がＭ２６×２８ｌｂｓ程度であるが、この評価方法においてはグロメットとラケットの強度を調べるの目的とするため、張り上げ強さとしてそれぞれＭ２６ｌｂｓ（１１．８ｋｇ）×Ｃ２８ｌｂｓ（１２．７ｋｇ）、Ｍ３０ｌｂｓ（１３．６ｋｇ）×Ｃ３２ｌｂｓ（１４．５ｋｇ）、Ｍ３４ｌｂｓ（１５．４ｋｇ）×Ｃ３６ｌｂｓ（１６．３ｋｇ）の３水準で張り上げた。検証手法として、ストリング張り上げ後に競技暦１０年以上の２名のプレイヤーによるシャトルコックを使用した試し打ちを各ラケット毎に３０分ずつ交換して行い、終了後にストリングの張替を行った。この行程を繰り返し、グロメットもしくはフレームが破損して使用不能なるまでの回数を数えた。実施例及び比較例の条件と結果をまとめて表１に示した。
【００５３】
【表１】
2013226298.tif 000003
【００５４】
表１から、本発明のグロメットの耐久性は、２種のラケットおよび各張力において、比較品にくらべ大幅に向上していることが確認できた。また、重量増加も、本発明のグロメットを１４箇所に装着した場合、比較例に対する増加重量は０．４５ｇとわずかであった。本発明のグロメットを装着したラケットは、打球感および打球音の両方ともグロメットを装着していないラケット（比較品）とほとんど差が認められなかった。また、本発明のグロメットは、単孔型であるため、バドミントンラケットの品番やメーカーに左右されず、汎用性が高いことは明白である。
【産業上の利用可能性】
【００５５】
本発明のグロメットは、他の競技用ラケットにも適用できる。
【符号の説明】
【００５６】
１  グロメットレッグ部
２  グロメットヘッド部
３  貫通孔
４  溝
５  縁
１１  メイン（タテ）ストリング
１２  クロス（ヨコ）ストリング
１３  ラケットフレーム
１４、１５  グロメット
ａ；グロメットレッグ部の長さ
ｂ；縁におけるグロメットヘッド部の厚み（最大部）
ｃ；溝におけるグロメットヘッド部の厚み（最小部）
ｄ；グロメットヘッド部の溝の幅
ｅ；グロメットヘッド部の長軸
ｆ；グロメットヘッド部の短軸
【図１】
2013226298.tif 000004
【図２】
2013226298.tif 000005
【図３】
2013226298.tif 000006
【図４】
2013226298.tif 000007
【図５】
2013226298.tif 000008
【図６】
2013226298.tif 000009